(57)【特許請求の範囲】
【請求項１】
除細動器回路を収容する除細動器ハウジングと、この除細動器ハウジングに対し外付けする使い捨て電極アセンブリとを具える携帯除細動器であって、前記電極アセンブリは一対の除細動電極と、前記除細動器回路に電力を供給する少なくとも１つのバッテリと、前記除細動電極及びバッテリを前記除細動器ハウジングに接続するコネクタとを有し、このコネクタは、前記少なくとも１つのバッテリを前記除細動器回路に接続する電力出力端子と、前記除細動電極に印加すべき除細動電圧を受ける少なくとも１つの高電圧入力端子とを有し、前記除細動電極は前記除細動器ハウジング上に収容場所があり、これら除細動電極は、破断しやすい接続ラインにより電気的に接続されており、この破断しやすい接続ラインは除細動電極を前記収容場所から取り出した後で患者の胸部上に配置する前に破断されるようになっており、前記除細動器回路は、前記破断しやすい接続ラインを破断して前記除細動電極を附勢するための前記除細動器ハウジング内の電力供給回路を完成させる時を決定するようになっている携帯除細動器。
【請求項２】
請求項１に記載の携帯除細動器において、前記電極アセンブリが前記除細動電極及び前記少なくとも１つのバッテリに対する共通ハウジングを有し、この共通ハウジングは前記除細動器ハウジングに取り外し可能に取り付けられているとともに、前記除細動器ハウジング上の対応する端子に接続するための電力出力端子及び高電圧入力端子を有している携帯除細動器。
【請求項３】
請求項２に記載の携帯除細動器において、前記共通ハウジングは前記除細動器ハウジングにおける相補型の凹所内に摺動できるようになっており、この摺動運動によりこれら２つのハウジングの端子を係合させるようになっている携帯除細動器。
【請求項４】
請求項３に記載の携帯除細動器において、前記共通ハウジングは、前記除細動電極を収容する上側の浅いトレイ状の凹所と、このトレイ状の凹所の領域の一部を占める深いバッテリ収容凹所とを有し、これによりこの共通ハウジングが段状の下側面を有するようになっており、前記除細動器ハウジングは前記共通ハウジングの段状の下側面と相補を成す段状凹所を有し、前記共通ハウジングは、前記トレイ状の凹所の平面に対し平行な方向で、前記除細動器ハウジングのエッジからこの除細動器ハウジングの段状凹所内に摺動され、係合する前記端子は、前記共通ハウジングの下側面の立ち上がり部分及びこれと相補を成す前記除細動器ハウジングの段状凹所の立ち上がり部分上に位置している携帯除細動器。
【発明の詳細な説明】
【技術分野】
【０００１】
本発明は、携帯除細動器用使い捨て電極アセンブリに関するものである。
【０００２】
携帯除細動器は、ここ２０年の間で利用可能となった。これらの装置の動作には必ず、少なくとも３つの動作過程、すなわち、（バッテリパック又は商用電源プラグを介して）電力を装置に供給する過程（１）と、一組の除細動電極（パッド）を装置に接続するとともに患者の裸の胸部に被着する過程（２）と、（オン／オフ釦を介するか又は蓋の開放等により）装置をターンオンさせる過程（３）とが含まれている。
【０００３】
公共の場所、例えば、鉄道の駅や空港等では、必要以上の複雑さを伴うことなしに一般の人々である非専門家により装置を動作させうるようにするのが望ましい。
【０００４】
従って、本発明の目的は、少なくとも上述した過程（１）及び（２）を組み合わせた程度まで携帯除細動器の動作を簡単化することにある。
【０００５】
本発明の観点によれば、請求項１に記載の携帯除細動器を提供する。
【０００６】
本発明の付随的な目的は、上述した過程（３）を無くして１回の操作で除細動器を附勢してこれをターンオンさせることにある。
【０００７】
本発明の付随的な利点は、使い捨てパッド及びバッテリを用いる通常の除細動においては、バッテリを注意深く管理し絶えずモニタする必要があるということに関することである。本発明は、除細動器に対する電源を使い捨て電極アセンブリ内に組み込むことにより、バッテリの管理を除細動処理から分離させる。
【０００８】
本発明は、上述した装置を動作させる方法であって、この装置のあらゆる機能を実行する過程を有する方法にも関するものである。
【０００９】
添付図面を参照して以下に説明する例示の本発明の実施例から本発明がより詳細に理解されるであろう。
図中、同じ又は同等な素子には同じ符号を付した。
【００１０】
図１を参照するに、携帯除細動器１２用の使い捨て電極アセンブリ１０の第１実施例は一対の除細動電極（以後簡単に“パッド”と称する）１４を有し、これらパッドは袋１６内にハーメチック封止されており、使用に際し“切り取り”ストリップ１７を取り去ることにより、袋１６からこれらパッドを取り出すことができる。これらパッド１４は、可撓性の導電性リード１８によりコネクタ２２の一対の出力端子２０にそれぞれ接続されている。コネクタ２２は一組のバッテリ２４をも収容しており、これらバッテリ２４はコネクタ２２の一対の内側端子２６間に直列に接続されている。
【００１１】
使用に際し、コネクタ２２が除細動器１２の相補型コネクタ２８内に差し込まれる。この相補型コネクタ２８は、コネクタ２２の端子２０に係合される一対の出力端子３０と、コネクタ２２の端子２６に係合される一対の入力端子３２とを有している。従って、コネクタ２２の端子２６は、使用に際し電力を端子３２を介して除細動器１２に供給する電力出力端子であり、コネクタ２２の端子２０は、パッド１４に供給する除細動電圧を除細動器１２から端子３０を介して受ける高電圧入力端子である。
【００１２】
除細動器１２は、コネクタ２２をコネクタ２８内に挿入することにより自動的にターンオンさせることができるか、又は後に説明するように他の操作によりターンオンさせることができる。いずれにしても、バッテリをコネクタ２２内に配置することを除いて、他のあらゆる点で、除細動器を完全に通常のものとすることができる。
【００１３】
図２は図１の変形例を示しており、本例では、スピーカ３６と、スピーカＩＣ３７と、その独自の電池３８とを有する音声モジュール３４が袋１６に入れられている。この音声モジュール３４は、“切り取り”ストリップ１７を取り去った際に動作して、いかにコネクタ２２内に差し込むかの音声指示を一般のユーザに与え、この差し込み時点から除細動器自体が動作を引き継ぐようにする。音声モジュール３４は周知であり、例えば、新型の挨拶状（グリーティングカード）業界で用いられている。
【００１４】
図３に示す他の実施例では、コネクタ２２内でバッテリ２４を直列に接続している電力供給回路がばね偏倚接点３９を有する。このばね偏倚接点は対向接点（図示せず）の方向に偏倚されているが、このばね偏倚接点と対向接点との間に絶縁タブ４０を挿入することによりこのばね偏倚接点と対向接点とが係合されないように保たれている。袋１６を開放するために切り取りストリップ１７を取り去ることにより、絶縁タブ４０を接点３９の下側から引き離し、この接点３９をその対向接点に係合させ、これによりコネクタ２２内の電力供給回路を自動的に完成させる。
【００１５】
上述した例の変形例（図４）では、除細動器１２の内部に設けられ、パッド１４間の電気接続ライン４１が破断されたか否かを確認する検査を行う低電力監視回路によりこれらパッド１４が分離されたことを検知する手段が設けられている。除細動器１２は、電気接続ライン４１が破断された際に（このことは、パッド１４が袋１６から取り出されて互いに分離されたことを意味する）、ターンオンされる。これを達成する電気回路の一例を図４Ａに示す。
【００１６】
互いに区別するために個々に符号１４Ａ及び１４Ｂを付したパッド１４は、袋１６（図４Ａには図示せず）内の剥離ライナー１５上に装着されている。抵抗Ｒ３を有する電気接続ライン４１も剥離ライナー１５上に装着されており、２つのパッド１４Ａ及び１４Ｂ間を電気接続している。前述したようにこれらパッド１４Ａ及び１４Ｂは、電圧Ｖbattを生じるバッテリ２４を収容しているコネクタ２２に取り付けられる。
【００１７】
コネクタ２２が除細動器１２に差し込まれると、パッド１４Ａ及び１４Ｂは、切換え接点８２を有する（継電器のような）切換えユニット８０に接続される。図４Ａに示すように、最初は、切換え接点８２がパッド１４Ａを電圧Ｖbattの点に接続しているとともに、パッド１４Ｂを、ＦＥＴＱ１のソースに且つ抵抗Ｒ１を介して接地点に接続している。これにより、ＦＥＴＱ１のソースが抵抗Ｒ３を介して電圧Ｖbattに引き上げられる回路が形成される。抵抗Ｒ１は、電圧Ｖbattの点からの電流の引き出し及び電圧の引き下げを最少にするように、抵抗Ｒ３に比べて充分に大きくする。電圧ＶbattはＦＥＴＱ１のゲートに且つＦＥＴＱ１のドレインを引き上げる抵抗Ｒ２にも印加されている。抵抗Ｒ２は、電圧Ｖbattの点からの電流の引き出しが最少となるように充分大きくなっている。この状態は、パッド１４が剥離ライナー１５に取り付けられたままである限り、維持されている。
【００１８】
除細動器をターンオンさせるために、いずれか又は双方のパッド１４を剥離ライナー１５から取り外す。これにより、ＦＥＴＱ１のソースを電圧Ｖbattに引き上げていた抵抗Ｒ３より成る回路を破断させ、従ってＦＥＴＱ１のソースを、抵抗Ｒ１を介して接地電位に引き下げる。これによりＦＥＴＱ１をターンオンさせ、これによりＦＥＴＱ１のドレインにおける電圧を、抵抗Ｒ２及びＲ１より成る分圧器により決定される値に引き下げる。この電圧降下８４は除細動器制御回路（図示せず）により検出され、この制御回路はこれに応答して、パッド１４Ａ及び１４Ｂを除細動器内の高電圧端子ＨＶ１及びＨＶ２にそれぞれ接続するように接点８２を切換える。
【００１９】
図３及び４の実施例は、使用に際し予めコネクタ２２を除細動器１２内に差し込みうる為、パッドを使用のために実際に配置する際にのみバッテリ電力を与えれば足りる。このことは、コネクタ２２が予め除細動器１２に接続されず、単なる差し込み作用により電力を供給するとともに除細動器をターンオンしうる図１の例と相違するものである。
【００２０】
図５の実施例では、バッテリがコネクタ２２内に収容されておらずに、平坦なバッテリパック４２が一方又は双方のパッド１４の裏面に装着されている。この場合、バッテリ電力を供給する追加のワイヤをコネクタ２２に接続する必要がある。図６に示すように、且つ図３の実施例に類似するように、電力供給回路には、対向接点４６に押圧するように偏倚されたばね接点３９を設けることができ、このばね接点３９は通常、絶縁タブ４０により対向接点４６から電気的に分離されるように保持されている。この絶縁タブ４０は剥離ライナー４８に固着され、この剥離ライナー４８がパッド１４上にある際には、絶縁タブ４０が接点３９及び４６間に挿入されているようになっている。しかし、剥離ライナー４８をパッド１４から取り外すと、絶縁タブ４０が接点３９及び４６間から引き出されて電力供給回路が完成され、使用のために除細動器１２に電力を供給する。
【００２１】
図７の実施例では、パッド１４を使用しない場合、これらパッドは除細動器１２のハウジングの浅い凹所５０内に収容され（例えば、ベルクロ（登録商標）により取り付けられ）、コネクタ２２及び２８は予め係合されている（図７では、図面を簡単にするために１つの素子２２／２８として示してある）。この場合、バッテリ２４は図１と同様にコネクタ２２内に収容されている。除細動器１２内の電力供給回路は、一対の接点５２及び５４を有し、これら接点は互いの方向に偏倚されているが、通常は、外部から除細動器のハウジング内に取り外し可能に挿入される絶縁ピン５６により互いに離れるように保持されている。このピン５６はパッドリード１８（又はパッド１４自体）と共同し、パッド１４を凹所５０から取り外した際にこのピン５６が接点５２及び５４間から自動的に外れ、電力がバッテリ２４から除細動器１２に自動的に供給されるようになっている。
【００２２】
図８の実施例は、この場合もバッテリ２４がコネクタ２２内に収容されておらずに、凹所５０内に嵌合するトレイ６０内にパッド１４と一緒に収容される平坦なバッテリパック５８の形態をしていることを除いて図７の実施例と類似している。この場合、パッドをトレイから取り外す作用、又はトレイを取り外す作用のいずれかにより、ピン５６を電力接点５２及び５４から取り外す。
【００２３】
図９は図７の変形例を示し、本例では、一方のパッド１４が除細動器１２のハウジングの裏面に固着されており、その除細動器への電気接続はこのハウジングの壁部における接点６２を介してこのハウジングを通して直接行われるか、図７におけるようにリード１８及びコネクタ２２／２８を介して行われる（パッド１４への接続を接点６２を介して直接行う場合には、コネクタ２２上の端子２０は１つのみで足り、これに対応してコネクタ２８上の端子３０も１つで足りる）。本例では、除細動器１２自体が患者の胸部上に配置され、実質的に患者の一方のパッドとなるということを除いて、動作は図７の動作と類似する。他方のパッド１４は、これを除細動器１２から引き離した際に電力供給回路における機械的なブロック（ピン５６）が引き抜かれることにより装置のターンオン動作を実行する。
【００２４】
図１０は、図７の実施例を実現した場合の分解斜視図である（リード１８は図示していない）。除細動器１２は、デジタルプリント回路板（ＰＣＢ）７０と高電圧ＰＣＢ７２とを入れたハウジングの上側半部１２ａ及び下側半部１２ｂを有している。バッテリ２４は、ハウジングの上側半部１２ａのソケットコネクタ２８内に挿入されるコネクタ２２内に収容されている。凹所５０は、ハウジングの下側半部１２ｂに形成されており、パッド１４を使用しない場合にこれらパッドを収容する。絶縁部材５６は、接点５２及び５４（図７）間に挿入されるようにハウジングの下側半部１２ｂのスロット７４に入り込んでおり、パッド１４とこれらのリードとの双方又はいずれか一方に動作的に結合され、パッドを凹所５０から取り外すとこの絶縁部材５６がスロット７４から引き抜かれるようになっている。
【００２５】
図１１〜１７を参照するに、本発明の他の実施例は、バッテリ２４とパッド１４との双方を一緒に収容しコネクタ２２としても機能するハウジング１０２を摺動的に収容する凹所１００（図１５）を有する除細動器１２を具えている。
【００２６】
ハウジング１０２は、（図１３及び１７に示すように）パッド１４を収容する上側の浅いトレイ状の凹所１０３Ａと、このトレイ状の凹所１０３Ａの一部を占め、バッテリ２４を収容する深い凹所１０３Ｂとを有する。従って、ハウジング１０２は段状の下側面１０４（図１４）を有し、この下側面は、バッテリの凹所１０３Ｂ及びトレイ状の凹所１０３Ａにそれぞれ対応するこの下側面の２部分１０４Ｂ及び１０４Ｃを連結する立ち上がり部分１０４Ａを有し、従って、これら２部分１０４Ｂ及び１０４Ｃは互いに異なる位置レベルにある。
【００２７】
ハウジング１０２の内側において、立ち上がり部分１０４Ａが高電圧入力端子２０の対と、電力出力端子２６の対とを有し（図１１）、パッド１４がそれぞれのリード１８によりそれぞれの入力端子２０に接続され、バッテリ２４が電力出力端子２６間に直列に接続されている。リード１８は張力緩和部材１０６の下側を通過させ、リード１８と端子２０との間の接続に加わる張力がなくなるようにする。端子２０及び２６は立ち上がり部分１０４Ａにおいてハウジング１０２の壁部を貫通し、下側面１０４に露出している（図１４）。
【００２８】
除細動器１２における凹所１００（図１５）は、ハウジング１０２の段状構造と相補を成す段状構造を有し、この凹所１００が除細動器１２のエッジ１０８まで延在している。この凹所１００は立ち上がり部分１００Ａを有し、この立ち上がり部分１００Ａに、ハウジング１０２上の端子２０及び２６の対応する対と結合する端子３０及び３２の対が設けられており、これら端子３０及び３２は、立ち上がり部分１００Ａにおいて除細動器のハウジングの壁部を貫通し、除細動器１２の内部回路（図示せず）に接続されている。
【００２９】
使用に際し、バッテリ２４をハウジング１０２の凹所１０３Ｂ内に挿入し、次にパッド１４を、バッテリを覆うように浅い凹所１０３Ａ内に入れる（図１３）。リード１８はバッテリ２４上にきちんと巻き取る。パッドは、前述したように破断しやすい連結部材４１により連結されており、この連結部材は短いひも４３により張力緩和部材１０６（又はハウジング１０２の他の個所）に連結されている。パッド１４は、はぎ取り式の保護カバー（図示せず）により被覆されている。
【００３０】
次に、ハウジング１０２を、除細動器１２のエッジ１０８から凹所１００内に摺動させる。この場合、ハウジング１０２を浅い凹所１０３Ａの平面に対しほぼ平行な方向で摺動させる。この摺動運動は、ハウジング１０２の両側縁におけるリブ１１０が凹所１００の両側縁における対応するリブ１１２に係合することにより案内される。ハウジング１０２が凹所１００内の定位置に完全に入り込むと、ハウジング１０２の両側縁における弾性突耳１１４が凹所１００の両側縁における溝１１６に係合し、これによりハウジング１０２を凹所１００内の適所に保持する。完全な定位置では、ハウジング１０２の下側面に露出された端子２０及び２６が除細動器１２上の端子３０及び３２とそれぞれ結合される。
【００３１】
除細動器を使用するために、パッド１４上の保護カバーをはぎ取り、パッド１４を凹所１０３Ａから取り出す。この取り出し作業により破断しやすい連結部材４１を破断させ、これにより、前述したように除細動器１２に電力を供給する（或いはまた、ひも４３を省略し、パッド１４を分離させることにより連結部材４１を破断させることができる）。これは図１１に示す状態であり、パッド１４は使用のために互いに分離して示してある。使用後は、突耳１１４を互いの方向に押してこれら突耳を溝１１６から開放させ、ハウジング１０２を凹所１００から取り出すように摺動させることにより、このハウジング１１２を除細動器１２から取り外す。次に、除細動器の次回の使用の準備をしておくために、パッドとバッテリを入れた新たなハウジング１０２を凹所１００内に摺動させておく。
【００３２】
図１８及び１９は図１３及び１７に類似する図面であり、本発明の他の実施例における、パッド及びバッテリの共用ハウジングを示す図である。主体となる除細動器１２は、例えば図１５に示すように、本例でも殆ど変更を要しないため、パッドとバッテリとの共用ハウジング１０２のみを図示する。前述したように、弾性突耳１１４が溝１１６と係合し、端子２０及び２６が端子３０及び３２とそれぞれ結合されるまで、ハウジング１０２を除細動器１２のエッジ１０８から凹所１００内に摺動させる。
【００３３】
しかし、本例では、トレイ状の凹所１０３Ａが蓋２００で閉じられ、この蓋はその前縁に固着されているタブ２０２を引張ることにより図１８及び１９における矢印の方向に摺動させてハウジング１０２から取り外すことができるようになっている。パッド１４は、蓋２００の下側面に、取り外し可能に固定されているため、この蓋を取り外すことによりパッド１４を凹所１０３Ａから自動的に取り外す。蓋２００をハウジング１０２から摺動により取り外す作業により、破断しやすい連結部材４１（図１９には図示せず）を自動的に破断させ、前述したように装置に電力を供給する。蓋２００は、ハウジング１０２のエッジ上に一体化して型整形したピップ２０４を蓋のエッジ上の浅いくぼみ２０６にそれぞれ弾性的に係合させることにより、ハウジング１０２上の適所に取り外し可能に保持される。
【００３４】
本発明は上述した実施例に限定されず、本発明の範囲を逸脱することなく種々に変更を施しうるものである。
【図面の簡単な説明】
【００３５】
【図１】図１は、本発明の第１実施例を示す線図である。
【図２】図２は、図１の変形例を示す線図である。
【図３】図３は、本発明の他の実施例を示す線図である。
【図４】図４は、本発明の更に他の実施例を示す線図である。
【図４Ａ】図４Ａは、図４の電気回路の一例を示す回路図である。
【図５】図５は、本発明の更に他の実施例を示す線図である。
【図６】図６は、本発明の更に他の実施例を示す線図である。
【図７】図７は、本発明の更に他の実施例を示す線図である。
【図８】図８は、本発明の更に他の実施例を示す線図である。
【図９】図９は、本発明の更に他の実施例を示す線図である。
【図１０】図１０は、図７の実施例の実例の分解斜視図である。
【図１１】図１１は、本発明の更に他の実施例の頂部からの斜視図である。
【図１２】図１２は、図１１の実施例の、パッド及びバッテリの共用ハウジングを、パッドを省略して示す頂部からの斜視図である。
【図１３】図１３は、図１１の実施例の、パッド及びバッテリの共用ハウジングを、パッドを含めた状態で示す頂部からの斜視図である。
【図１４】図１４は、図１１の実施例の、パッド及びバッテリの共用ハウジングを、下側から見て示す斜視図である。
【図１５】図１５は、パッド及びバッテリの共用ハウジングが取り付けられる除細動器の頂部からの斜視図である。
【図１６】図１６は、図１１の実施例に用いるパッドを示す斜視図である。
【図１７】図１７は、図１１の実施例の、パッド及びバッテリの共用ハウジングを、パッドを含めた状態で示す断面図である。
【図１８】図１８は、図１３に類似する、本発明の更に他の実施例の、パッド及びバッテリの共用ハウジングを、頂部から見て示す斜視図である。
【図１９】図１９は、図１８の、パッド及びバッテリの共用ハウジングを示す断面図である。
【図１】
0004472688.tif 000002
【図２】
0004472688.tif 000003
【図３】
0004472688.tif 000004
【図４】
0004472688.tif 000005
【図４Ａ】
0004472688.tif 000006
【図５】
0004472688.tif 000007
【図６】
0004472688.tif 000008
【図７】
0004472688.tif 000009
【図８】
0004472688.tif 000010
【図９】
0004472688.tif 000011
【図１０】
0004472688.tif 000012
【図１１】
0004472688.tif 000013
【図１２】
0004472688.tif 000014
【図１３】
0004472688.tif 000015
【図１４】
0004472688.tif 000016
【図１５】
0004472688.tif 000017
【図１６】
0004472688.tif 000018
【図１７】
0004472688.tif 000019
【図１８】
0004472688.tif 000020
【図１９】
0004472688.tif 000021